(57)【要約】【課題】レーザー光源から信号記録媒体側の前方に出射されるレーザー光の光量を監視するべくフロントモニター用光検出器が設けられた光学ヘッド装置に関する。【解決手段】レーザー素子１から信号記録媒体側の前方に出射されるレーザー光の光量を監視するべくフロントモニター用光検出器１２とレーザー素子１から信号記録媒体側の前方に出射された光ビームが信号記録媒体より反射されたレーザー光を受光する受光素子１３が設けられた光学ヘッド装置であり、信号記録媒体にレーザー光を導く光路上に前記レーザー光を前記フロントモニター用光検出器１２に導くべく反射させるミラー１０を設け、前記受光素子１３とフロントモニター用検出器１２が同一パッケージに組み込まれたものである。【選択図】    図１
2004295981.tif 000002
【特許請求の範囲】
【請求項１】
レーザー素子から信号記録媒体側の前方に出射されるレーザー光の光量を監視するべくフロントモニター用光検出器とレーザー素子から信号記録媒体側の前方に出射された光ビームが信号記録媒体より反射されたレーザー光を受光する受光素子が設けられた光学ヘッド装置であって、信号記録媒体にレーザー光を導く光路上に前記レーザー光を前記フロントモニター用光検出器に導くべく反射させるミラーを設け、前記受光素子とフロントモニター用検出器が同一パッケージに組み込まれたことを特徴とする光ピックアップ装置。
【請求項２】
レーザー素子から信号記録媒体側の前方に出射された光ビームが信号記録媒体より反射され、ビームスプリッターを経て受光素子に照射される光路とレーザー素子からビームスプリッターを経てフロントモニター用検出器に照射される光路であるビームスプリッター透過後の光路の位置に前記ミラーを設け、該ミラーに照射された光ビームがフロントモニター用検出器に導くことを特徴とする請求項１に記載の光ピックアップ装置。
【発明の詳細な説明】
【０００１】
【発明の属する技術分野】
本発明は、レーザー素子から信号記録媒体側の前方に出射されるレーザー光の光量を監視するべくフロントモニター用光検出器が設けられた光学ヘッド装置に関する。
【０００２】
【従来の技術】
光学ヘッド装置からの光ビームを用いてディスクにデジタルの記録信号を記録する光ディスク記録装置としては、ＣＤ（Ｃｏｍｐａｃｔ  Ｄｉｓｃ）規格のＣＤ−Ｒ（Ｒｅｃｏｒｄａｂｌｅ）及びＣＤ−ＲＷ（Ｒｅｗｒｉｔａｂｌｅ）記録方式と、ＤＶＤ（Ｄｉｇｉｔａｌ  Ｖｅｒｓａｔｉｌｅ  Ｄｉｓｃ）規格のＲやＲＷ、あるいはＲＡＭ等の記録方式とが良く知られている。
【０００３】
このような光ディスク記録装置に用いられる光学ヘッド装置においては、通常、レーザー素子からディスク側に出射されるレーザー光を直接監視するべくフロントモニター用光検出器が備えられており、このフロントモニター用光検出器の受光出力（フロントモニタ出力）を用いてＡＰＣ（Ａｕｔｏ  Ｐｏｗｅｒ  Ｃｏｎｔｒｏｌ）回路によりレーザー光源のレーザー出力を一定光量にするべく制御し、これにより光学ヘッド装置からディスクに照射されるレーザー光の光量がディスクへの記録及び再生に適切に設定されるようになっており、特に記録時に記録速度の変化やディスクごとの記録特性の変化に合わせて設定されるようになっている。
【０００４】
その為、光ディスク記録装置に用いられる光学ヘッド装置には、フロントモニター用光検出器が必要不可欠となっている。
【０００５】
図２は従来例を示した光ピックアップ装置の光学系を示す光路図であって、１はレーザー光を発光するレーザー素子、２は光を分解し３ビームに回折する回折格子、３は発散光の光ビームを平行光に変換するコリメータレンズ、４は光路分離機能を有するハーフミラー、５は光軸を折曲する立上げミラー、６はレーザービームを記録媒体であるディスク７の記録集光せしめる対物レンズ、８はレーザー素子１より放射された光ビームの光量を測定し、情報の書き込みによるレーザー出力の光量を決定するためのフロントモニター用光検出器、９はレーザービームを受光する受光素子である。
【０００６】
まず、例えばＣＤ−Ｒに情報を記録する光路の場合、レーザー素子１から放射されたレーザービームは回折格子２を透過後、コリメータレンズ３に照射される。該コリメータレンズ３に照射されたレーザービームは平行光に変換されハーフミラー４にて反射し、更に立上げミラー５により光軸が折曲されたレーザービームは対物レンズ６により収束されてディスク７の記録面に合致し記録される。
【０００７】
また、前述したハーフミラー４に照射したレーザービームは反射する旨説明したが、該ハーフミラー４に照射した一部のレーザービームは透過され、フロントモニター用光検出器８に照射し、該フロントモニター用光検出器８の受光量によりＣＤ−Ｒの書き込みにおけるレーザー素子１のレーザー出力が決定される。
【０００８】
次にＣＤ−Ｒに記録された信号の読み取りの場合、レーザー素子１から放射されたレーザービームは回折格子２を透過後、コリメータレンズ３に照射される。該コリメータレンズ３に照射されたレーザービームは平行光に変換されハーフミラー４を反射し立上げミラー５に照射され、該立上げミラー５により光軸が折曲されたレーザービームは対物レンズ６により収束されてディスク７に合致し、信号の読み取り動作が行われる。読み取られた戻りのレーザービームは対物レンズ６を透過し、立上げミラー５にて光軸を折曲しハーフミラー４に照射される。ハーフミラー４に照射されたレーザービームは透過し、受光素子９に照射され信号を受光することができる。
【０００９】
【特許文献１】
特開２００２−１１７５６７号公報
【００１０】
【発明が解決しようとする課題】
従来においてフロントモニター検出器と受光素子は独立した高価な部品を使用した構成を有しており、部品の簡略化によるコストダウンによっても高性能を維持する製品開発が望まれていた。
【００１１】
【課題を解決するための手段】
本発明は、フロントモニター用光検出器と受光素子とが同一パッケージに組み込まれ、レーザー素子からビームスプリッターを透過後の位置にミラーを設け、該ミラーに照射された光ビームをフロントモニター用検出器に導くようにしたものである。
【００１２】
【実施例】
図１は本発明の一実施例を示す光ピックアップ装置の光学系を示す光路図、図２は従来の実施例を示す光ピックアップ装置の光学系を示す光路図である。
【００１３】
図１において、前述した図２に説明した従来例と同じ部品は同一番号を使用するものとし、説明は割愛する。１０はレーザービームを反射するミラー、１１はフロントモニター用検出器１２と受光素子１３が一体化されている複合素子である。
【００１４】
まず、例えばＣＤ−Ｒに情報を記録する光路の場合、レーザー素子１から放射されたレーザービームは回折格子２を透過後コリメータレンズ３に照射される。該コリメータレンズ３に照射されたレーザービームは平行光に変換されハーフミラー４に照射され、該ハーフミラー４に照射されたレーザービームは立上げミラー５に照射し光軸が折曲されたレーザービームは対物レンズ６により収束されてディスク７の記録面に合致し記録される。また、前述したハーフミラー４に照射したレーザービームは反射する旨説明したが、該ハーフミラー４に照射した一部のレーザービームは透過し、ミラー１０により反射され複合素子１１に組み込まれたフロントモニター用光検出器１２に照射し、該フロントモニタ用光検出器１２の受光量によりＣＤ−Ｒ書き込みにおけるレーザー素子のレーザー出力が決定される。
【００１５】
次にＣＤ−Ｒに記録された信号の読み取る場合、レーザー素子１から放射されたレーザービームは回折格子２を透過後、コリメータレンズ３に照射される。該コリメータレンズ３に照射されたレーザービームは平行光に変換されハーフミラー４にて反射し、更に立上げミラー５により光軸が折曲されたレーザービームは対物レンズ６により収束されてディスク７に合致し信号の読み取り動作が行われる。
【００１６】
読み取られたレーザービームはディスク７にて反射された戻りのレーザービームは対物レンズ６を透過し、立上げミラー５にて光軸が折曲されハーフミラー４に照射される。ハーフミラー４に照射されたレーザービームは透過し、複合素子１１に組み込まれた受光素子１３に照射され、受光信号を得ることができる。
【００１７】
【発明の効果】
以上に述べた通り、本発明は、フロントモニター用光検出器と受光素子が同一パッケージに組み込まれ、レーザー素子から出射された光ビームが信号記録媒体より反射され、ビームスプリッターを経て受光素子に導く光路と、レーザー素子からビームスプリッターを経てフロントモニター用検出器に導く光路のスプリッターの透過後の位置にミラーを設け、該ミラーに照射された光ビームの反射光ビームがフロントモニター用検出器に導くようにしたので、受光素子とフロントモニター用検出器を同一パッケージに組み込むことができ、部品点数の削減および実装基板の簡略化が可能となり、低価格の光ピックアップ装置を供給することができる。
【図面の簡単な説明】
【図１】本発明の一実施例を示す光ピックアップ装置の光学系を示す光路図である。
【図２】従来例の光ピックアップ装置の光学系を示す光路図である。
【符号の説明】
１      レーザー素子
４      ハーフミラー
７      ディスク
１０      ミラー
１２      フロントモニター用光検出器
１３      受光素子
【図１】
2004295981.tif 000003
【図２】
2004295981.tif 000004